【事件の表示】
　平成　７年特許願第１０５５６４号「換気口部材とその施工方法」拒絶査定に対する審判事件［平成　８年１１月２２日出願公開、特開平　８−３０３８３０］について、次のとおり審決する。
【結　論】
　本件審判の請求は、成り立たない。
【理　由】
１．手続の経緯・本願発明
　本願は、平成７年４月２８日の出願であって、原審における平成１２年１０月３０日付けの拒絶理由に記載した理由により平成１３年５月２３日付けで拒絶査定（平成１３年５月２９日発送）され、これに対し、同年６月２８日に審判請求され、同年７月２６日に特許請求の範囲を補正対象とする手続補正書が提出されたものである。
２．補正の却下の決定
［補正却下の決定の結論］
　平成１３年７月２６日付けの手続補正書を却下する。
［理由］
（１）補正後の本願の特許請求の範囲請求項１に係る発明
　平成１３年７月２６日付けの手続補正書（以下「本件補正」という。）により補正された特許請求の範囲に記載された各請求項に係る発明は、次のとおりのものである。
「【請求項１】円筒の一端に外向フランジを有する本体筒と、ガラリを有する中間板と下面と一側面に開口を有したフード部を順に組み合わせて一体と成した換気口部材において、前記中間板の下端に前記フード部の幅寸法より大きく、略くの字形状の立ち上がりを有した水切板を左右方向に設けたことを特徴とする換気口部材。
【請求項２】円筒の一端に外向フランジを有する本体筒と、この本体筒と連結され、ガラリを有する中間板と、この中間板と連結され、下面と一側面に開口を有したフード部とを設けた換気口部材において、前記中間板の下端に前記フード部の幅寸法より大きく、略くの字形状の立ち上がりを有した水切板を左右方向に設けたことを特徴とする換気口部材。
【請求項３】フード部の外周に形成されたフードフランジ部に複数の半抜き穴を設けた請求項１または２記載の換気口部材。
【請求項４】円筒の一端に外向フランジを有する本体筒と、この本体筒と連結され、ガラリを有する中間板と、この中間板と連結され、下面と一側面に開口を有したフード部とを設け、前記中間板の下端に前記フード部の幅寸法より大きく、略くの字形状の立ち上がりを有した水切板を左右方向に設け、前記フード部の外周に形成されたフードフランジ部に複数の半抜き穴を設けた換気口部材において、前記半抜き穴を抜き、外壁にねじで固定する換気口部材の施工方法。
【請求項５】本体筒の円筒に抜止め金具を設け、前記抜止め金具と半抜き穴とを使用して、外壁に固定する請求項４記載の換気口部材の施工方法。」
（２）引用例に記載された事項
　原審における平成１２年１０月３０日付けの拒絶理由通知書の中で引用した、本出願前に頒布された刊行物である実願平３−１２８４４号（実開平４−１０３５３８号）のマイクロフィルム（以下「引用例」という。）には、図面と共に次の記載がある。
・「本考案の取付通風器は建物の室内換気用に使用する。」（段落【０００１】）
・「＜実施例１＞
　図１〜図４は本考案に係る取付通風器の一例を示す。
 同図において符号１は円筒状の本体筒で、開口前端部の周縁に外向フランジ２を形成してあり、後端開口部１ｂの下半部分はハーフ後板３で塞いである。
　本体筒１の前端開口部にはガラリ板４をリベット５により本体筒１の外向フランジ２へ止めて取り付けてあるとともに、ガラリ板４と本体筒の外向フランジ２とで挾んで防虫網６を取り付けてある。
　ガラリ板４には前傾する切起しルーバ一片７を上下に複数片形成することにより横長スリット状のルーバー通気孔７ａを上下に多数あけてある。
　また、本体筒における外向フランジの下半部分には前方へ突出するガイド枠８を設けてある。
　このガイド枠は、半円状の枠フランジ部８ａの外周に前方へ若干拡径して突出するカラー８ｂを形成したものとしてあって、枠フランジ８ａをリベット５で本体筒の外向フランジ２へ止めることにより本体筒の外向フランジへ取り付けてある。
　また、カラー８ｂは、排気や雨天時の汚れ水が外壁面を伝わらずに落下する突出量のものとしてあり、かつ枠フランジ８ａの左右両端上部には若干前傾する折曲水止片９を形成してある。」（段落【０００９】〜【００１５】）
（３）引用例に記載された発明
　引用例の上記記載及び図面、特に図５ないし７が図示するところによれば、引用例には次の発明が記載されていると認められる。
「円筒の一端に外向フランジを有する本体筒１と、ガラリを有するガラリ板４と前下方と一側面に開口を有したフード１２を順に組み合わせて一体と成した換気口部材において、前記ガラリ板の下端に前記フードの幅寸法より大きく、外向フランジ２の外方に半円周状にカラー部８ｂを立ち上がり形成したガイド枠８を設けた取付通風器。」
（４）本願補正発明と引用例記載の発明の一致点・相違点の認定
　本件補正により補正された特許請求の範囲請求項１に係る発明（以下「本願補正発明」という。）と引用例記載の発明を対比すると、後者の「本体筒１」、「ガラリ板４」、「フード１２」、「ガイド枠８」、「取付通風器」は、それぞれ前者の「本体筒」、「中間板」、「フード部」、「水切板」、「換気口部材」に相当するから、両者は、下記する「一致点」で一致し、「相違点１」及び「相違点２」で相違するものと認められる。
　ア　一致点
「円筒の一端に外向フランジを有する本体筒と、ガラリを有する中間板と一側面に開口を有したフード部を順に組み合わせて一体と成した換気口部材において、前記中間板の下端に前記フード部の幅寸法より大きい立ち上がりを有した水切板を設けた換気口部材。」
　イ　相違点１
　フード部について、本件補正発明は「下面に開口を有した」としたものであるのに対し、引用例記載の発明は、前下方に開口を有したものである点。
　ウ　相違点２
　水切板について、本件補正発明は、「略くの字形状の」ものであって、「左右方向に」設けたものであるのに対し、引用例記載の発明では、外向フランジ２の外方に半円周状に立ち上がり形成されたカラー部８ｂを備えたものである点。
（５）相違点の検討
　ア　相違点１について
　実願昭５８−５７６１９号（実開昭５９−１６３８４１号）のマイクロフィルム（以下「周知例」という。）の第１ないし第３図には、本件補正発明と同様な換気口部材において、「下面に開口を有した」換気フードが開示されている。この事実からみて、相違点１に係る本件補正発明の構成要件は、従来周知のものにすぎないというべきである。
　イ　相違点２について
　本願明細書に添付された図２は、本件補正発明の実施例を図示するものであるから、本件補正発明の「略くの字形状の」水切板とは、図２に図示された水切板のような形状のものを意味するものと解される。そこで、引用例に開示された、水切板に相当するガイド枠をみてみると、その径方向断面をみれば、略くの字形状であるものと認められる。そうすると、本件補正発明の「略くの字形状の」水切板は、引用例に実質的に開示されている。
　そして周知例を検討してみると、その第２、第３図に図示された「上部障壁板７」について次の記載がある。
「換気フードの取付け側の面となる背面には、接続開口端（１）の他に、外壁（Ｗ）の壁面に当接させうる、取付用のねじを挿通させる取付孔などの取付構造をもつ取付フランジ（６）と、接続開口端（１）の下側口縁と換気開口端（２）の背面側口縁との間を縦に塞ぐ背面板（５）の構造がある。この背面板（５）の上端には、自由端が通気空間（Ｓ）に突き出す上部障壁板（７）がほぼ水平に取付けられている。上部障壁板（７）の下方には、フード（３）の下端を背面側にほぼ直角に曲げて構成した下部障壁板（８）がある。」（明細書３頁６〜１６行）
　この記載によれば、上部障壁板７は、ほぼ水平方向、すなわち、ほぼ左右方向に設けられたものであると認められる。この事実からみて、引用例に記載された上記水切板を左右方向に設けたことは、換気口の形状に合わせた設計事項であって、当業者であれば容易に想到できたものというべきである。
　本願補正発明の作用効果を検討しても、引用例記載の発明及び周知の技術から当業者が容易に予測し得る程度であって、これを超える顕著な効果を奏するものとは認めることができない。
（６）むすび
　以上のとおりであるから、本願補正発明は、引用例記載の発明及び周知技術に基づいて当業者が容易に発明をすることができたものであるので、特許法第２９条第２項の規定により、特許出願の際独立して特許を受けることができないものである。
　したがって、本件補正は、特許法第１７条の２第４項において読み替えて準用する同法第１２６条第３項に違反するから、同法第１５９条第１項において読み替えて準用する同法第５３条第１項の規定により却下されるべきものである。
３．本願発明について
　本件補正は、上記のとおり却下されたので、本願発明は、平成１２年１２月２５日付けの手続補正書により補正された特許請求の範囲に記載された次のとおりのものである。
「【請求項１】円筒の一端に外向フランジを有する本体筒と、ガラリを有する中間板と下面と一側面に開口を有したフード部を順に組み合わせて一体と成した換気口部材において、前記中間板の下端に前記フード部の幅寸法より大きく、略くの字形状の立ち上がりを有した水切板を設けたことを特徴とする換気口部材。
【請求項２】円筒の一端に外向フランジを有する本体筒と、この本体筒と連結され、ガラリを有する中間板と、この中間板と連結され、下面と一側面に開口を有したフード部とを設けた換気口部材において、前記中間板の下端に前記フード部の幅寸法より大きく、略くの字形状の立ち上がりを有した水切板を設けたことを特徴とする換気口部材。
【請求項３】フード部の外周に形成されたフードフランジ部に複数の半抜き穴を設けた請求項１または２記載の換気口部材。
【請求項４】円筒の一端に外向フランジを有する本体筒と、この本体筒と連結され、ガラリを有する中間板と、この中間板と連結され、下面と一側面に開口を有したフード部とを設け、前記中間板の下端に前記フード部の幅寸法より大きく、略くの字形状の立ち上がりを有した水切板を設け、前記フード部の外周に形成されたフードフランジ部に複数の半抜き穴を設けた換気口部材において、前記半抜き穴を抜き、外壁にねじで固定する換気口部材の施工方法。
【請求項５】本体筒の円筒に抜止め金具を設け、前記抜止め金具と半抜き穴とを使用して、外壁に固定する請求項４記載の換気口部材の施工方法。」
　この請求項１の記載は、上記した本願補正発明の構成から「左右方向に」を除いた構成と同一であるから、本願の請求項１に係る発明は、本願補正発明について記載した理由と同じ理由により、その進歩性が否定される。
　したがって、本願の請求項１に係る発明は、引用例記載の発明及び周知技術に基づいて当業者が容易に発明をすることができたものであるから、特許法第２９条第２項の規定により特許を受けることができない。
　よって、本願の請求項２〜５について判断するまでもなく、結論のとおり審決する。